(57)【要約】【課題】一回の爪切りで、爪先の回りを丸く滑らかに切れるようにする。【解決の手段】四等分に分割した球形又は楕円体の内側を刳り貫いた刃体Ａを造り、刃体Ａの片方の縁を刃Ｂに加工し、刃Ｂに加工した縁の反対側の刃体Ａの縁にピン穴Ｄが有る円筒形Ｃを取り付け、２個の刃体Ａの刃Ｂを向き合わせて接触して左右一対で組み、左右一対のピン穴ＤにピンＨを通し、左右一対の円筒形ＣのピンＨを繋ぐ板Ｊの両端にピン穴を一対開け、板Ｊの一対のピン穴に一対のピンＨを通して取り付け、刃体ＡがピンＨを中心にして回転の開閉の往復運動ができ、刃体ＡがピンＨを中心に回転の開閉の往復運動することで、刃体Ａの刃Ｂの間に有るペットの爪を切ることができる、以上のことを特徴とするペット用爪切り。一回の爪切りで、爪の回りを丸く滑らかに切れ、爪先が半球形になるようにする。【選択図】    図２
2004194642.tif 000002
【特許請求の範囲】
【請求項１】
犬猫等のペットの爪を切る爪切りで、球形を直線で二等分に分割し、二等分に分割した球形を更に直線で二等分に分割し、その四等分に分割した球形の内側を刳り貫いた刃体Ａを造り、又は、楕円体を直線で二等分に分割し、二等分に分割した楕円体を更に直線で二等分に分割し、その四等分に分割した楕円体の内側を刳り貫いた刃体Ａを造り、刃体Ａの片方の縁を刃Ｂに加工し、刃Ｂに加工した縁の反対側の刃体Ａの縁にピン穴Ｄが有る円筒形Ｃを取り付け、２個の刃体Ａの刃Ｂを向き合わせて接触して左右一対で組み、左右一対のピン穴ＤにピンＨを通し、左右一対の円筒形ＣのピンＨを繋ぐ板Ｊの両端にピン穴を一対開け、板Ｊの一対のピン穴に一対のピンＨを通して取り付け、刃体ＡがピンＨを中心にして回転の開閉の往復運動ができ、刃体ＡがピンＨを中心に回転の開閉の往復運動することで、刃体Ａの刃Ｂの間に有るペットの爪を切ることができる、以上のことを特徴とするペット用爪切り。
【請求項２】
犬猫等のペットの爪を切る爪切りで、球形を直線で二等分に分割し、二等分に分割した球形を更に直線で二等分に分割し、その四等分に分割した球形の内側を刳り貫いた刃体Ａを造り、刃体Ａの片方の縁を刃Ｂに加工し、刃Ｂに加工した縁の反対側の刃体Ａの縁に板Ｇを取り付け、板Ｇの刃体Ａの円弧の内側を切り取り、刃体Ａの円弧の内側を切り取った反対側の板Ｇの縁にピン穴Ｄが有る円筒形Ｃを取り付け、２個の刃体Ａの刃Ｂを向き合わせて接触して左右一対で組み、左右一対のピン穴ＤにピンＨを通し、左右一対の円筒形ＣのピンＨを繋ぐ板Ｊの両端にピン穴を一対開け、板Ｊの一対のピン穴に一対のピンＨを通して取り付け、板Ｊは左右の円筒形Ｃの両側に一対で取り付け、刃Ｂを向き合わせて組んだ一対の刃体ＡはピンＨを中心にして回転できるようにし、部材Ｅを刃体Ａに取り付け、又は部材Ｅを円筒形Ｃに取り付け、又は部材Ｅを刃体Ａ及び円筒形Ｃに取り付けて、部材Ｅにピン穴Ｆを開け、左右一対の部材ＥがピンＨを中心に回転の開閉の往復運動することで、一対の刃体ＡがピンＨを中心にして回転の開閉の往復運動をできるようにし、一対の刃体ＡがピンＨを中心に回転の開閉の往復運動することで、一対の刃体Ａの刃Ｂの間に有るペットの爪を切ることができ、一対の部材ＥがピンＨを中心に回転の開閉の往復運動をさせるための作動部材Ｌの端にピン穴を開け、部材Ｅと作動部材ＬにピンＫを取り付けて、部材Ｅと作動部材Ｌを左右２カ所の一対で接続し、二本の作動部材Ｌを両端の間で交差し、作動部材Ｌが交差した所に開閉中心軸Ｍを取り付け、作動部材Ｌと部材ＥをピンＫで接続した作動部材Ｌの反対側に握り部Ｎを造り、作動部材Ｌの握り部Ｎが開閉中心軸Ｍを中心に回転の開閉の往復運動することで、作動部材Ｌに取り付けた部材ＥがピンＨを中心に回転の開閉の往復運動し、作動部材ＬをピンＫと開閉中心軸Ｍとの間で切断し、作動部材Ｌの開閉中心軸Ｍを中心にして回転の開閉の往復運動方向に対して直角の方向に切断した二つの作動部材Ｌが動くように作動部材Ｌを重ねて蝶ネジＰを取り付けて接続し、蝶ネジＰの操作で切断した二つの作動部材Ｌを好みの角度で固定でき、刃体Ａ、部材Ｅ、板Ｊ、円筒形Ｃ及び作動部材ＬのピンＫを取り付けた先端部を包み込む箱Ｑを取り付け、箱Ｑの表面に長方形の穴を開け、箱Ｑの長方形の穴の大きさは板Ｇの回りの円筒形Ｃと板Ｊとの外周と同じ大きさ、箱Ｑに切断した爪を入れる収納部Ｒを取り付け、及び作動部材ＬのピンＫを取り付けた先端部が回転の開閉の往復運動するための溝Ｓを箱Ｑの表面に一対開け、箱Ｑを取り外しがしやすいように、箱Ｑを二分割し、二分割した箱Ｑを結合するための結合式を取り付け、作動部材Ｌの握り部Ｎが開閉中心軸Ｍを中心に回転の開閉の往復運動することで、一対の刃体ＡがピンＨを中心に回転の開閉の往復運動し、一対の刃体Ａの刃Ｂの間に有るペットの爪を切ることができる、以上のことを特徴とするペット用爪切り。
【請求項３】
犬猫等のペットの爪を切る爪切りで、楕円体を直線で二等分に分割し、二等分に分割した楕円体を更に直線で二等分に分割し、その四等分に分割した楕円体の内側を刳り貫いた刃体Ａを造り、刃体Ａの片方の縁を刃Ｂに加工し、刃Ｂに加工した縁の反対側の刃体Ａの縁に板Ｇを取り付け、板Ｇの刃体Ａの円弧の内側を切り取り、刃体Ａの円弧の内側を切り取った反対側の板Ｇの縁にピン穴Ｄが有る円筒形Ｃを取り付け、２個の刃体Ａの刃Ｂを向き合わせて接触して左右一対で組み、左右一対のピン穴ＤにピンＨを通し、左右一対の円筒形ＣのピンＨを繋ぐ板Ｊの両端にピン穴を一対開け、板Ｊの一対のピン穴に一対のピンＨを通して取り付け、板Ｊは左右の円筒形Ｃの両側に一対で取り付け、刃Ｂを向き合わせて組んだ一対の刃体ＡはピンＨを中心にして回転できるようにし、部材Ｅを刃体Ａに取り付け、又は部材Ｅを円筒形Ｃに取り付け、又は部材Ｅを刃体Ａ及び円筒形Ｃに取り付けて、部材Ｅにピン穴Ｆを開け、左右一対の部材ＥがピンＨを中心に回転の開閉の往復運動することで、一対の刃体ＡがピンＨを中心にして回転の開閉の往復運動をできるようにし、一対の刃体ＡがピンＨを中心に回転の開閉の往復運動することで、一対の刃体Ａの刃Ｂの間に有るペットの爪を切ることができ、一対の部材ＥがピンＨを中心に回転の開閉の往復運動をさせるための作動部材Ｌの端にピン穴を開け、部材Ｅと作動部材ＬにピンＫを取り付けて、部材Ｅと作動部材Ｌを左右２カ所の一対で接続し、二本の作動部材Ｌを両端の間で交差し、作動部材Ｌが交差した所に開閉中心軸Ｍを取り付け、作動部材Ｌと部材ＥをピンＫで接続した作動部材Ｌの反対側に握り部Ｎを造り、作動部材Ｌの握り部Ｎが開閉中心軸Ｍを中心に回転の開閉の往復運動することで、作動部材Ｌに取り付けた部材ＥがピンＨを中心に回転の開閉の往復運動し、作動部材ＬをピンＫと開閉中心軸Ｍとの間で切断し、作動部材Ｌの開閉中心軸Ｍを中心にして回転の開閉の往復運動方向に対して直角の方向に切断した二つの作動部材Ｌが動くように作動部材Ｌを重ねて蝶ネジＰを取り付けて接続し、蝶ネジＰの操作で切断した二つの作動部材Ｌを好みの角度で固定でき、刃体Ａ、部材Ｅ、板Ｊ、円筒形Ｃ及び作動部材ＬのピンＫを取り付けた先端部を包み込む箱Ｑを取り付け、箱Ｑの表面に長方形の穴を開け、箱Ｑの長方形の穴の大きさは板Ｇの回りの円筒形Ｃと板Ｊとの外周と同じ大きさ、箱Ｑに切断した爪を入れる収納部Ｒを取り付け、及び作動部材ＬのピンＫを取り付けた先端部が回転の開閉の往復運動するための溝Ｓを箱Ｑの表面に一対開け、箱Ｑを取り外しがしやすいように、箱Ｑを二分割し、二分割した箱Ｑを結合するための結合式を取り付け、作動部材Ｌの握り部Ｎが開閉中心軸Ｍを中心に回転の開閉の往復運動することで、一対の刃体ＡがピンＨを中心に回転の開閉の往復運動し、一対の刃体Ａの刃Ｂの間に有るペットの爪を切ることができる、以上のことを特徴とするペット用爪切り。
【発明の詳細な説明】
【０００１】
【発明の属する技術分野】
犬猫等のペットの爪切りの技術。
【０００２】
【従来の技術】
ペット用の爪切りで爪を切ると、爪の回りが角張って切れ、爪が引っ掛かる。
【０００３】
【発明が解決しようとする課題】
一回の爪切りで、爪先の回りを丸く滑らかに切れるようにする。
【０００４】
【課題を解決するための手段】
四等分に分割した球形又は楕円体の内側を刳り貫いた刃体Ａを造り、刃体Ａの片方の縁を刃Ｂに加工し、刃Ｂに加工した縁の反対側の刃体Ａの縁にピン穴Ｄが有る円筒形Ｃを取り付け、２個の刃体Ａの刃Ｂを向き合わせて接触して左右一対で組み、左右一対のピン穴ＤにピンＨを通し、左右一対の円筒形ＣのピンＨを繋ぐ板Ｊの両端にピン穴を一対開け、板Ｊの一対のピン穴に一対のピンＨを通して取り付け、刃体ＡがピンＨを中心にして回転の開閉の往復運動ができ、刃体ＡがピンＨを中心に回転の開閉の往復運動することで、刃体Ａの刃Ｂの間に有るペットの爪を切ることができる、以上のことを特徴とするペット用爪切り。
【０００５】
【発明の実施の形態】
犬猫等のペットの爪を切る爪切りで、球形を直線で二等分に分割し、二等分に分割した球形を更に直線で二等分に分割し、その四等分に分割した球形の内側を刳り貫いた金属等で造られた刃体Ａを造り、又は、楕円体を直線で二等分に分割し、二等分に分割した楕円体を更に直線で二等分に分割し、その四等分に分割した楕円体の内側を刳り貫いた金属等で造られた刃体Ａを造り、刃体Ａの片方の縁を刃Ｂに加工し、刃Ｂに加工した縁の反対側の刃体Ａの縁にピン穴Ｄが有る金属等で造られた円筒形Ｃを取り付け、２個の刃体Ａの刃Ｂを向き合わせて接触して左右一対で組み、左右一対のピン穴Ｄに金属等で造られたピンＨを通し、左右一対の円筒形ＣのピンＨを繋ぐ板Ｊの両端にピン穴を一対開け、金属等で造られた板Ｊの一対のピン穴に一対のピンＨを通して取り付け、刃体ＡがピンＨを中心にして回転の開閉の往復運動ができ、刃体ＡがピンＨを中心に回転の開閉の往復運動することで、刃体Ａの刃Ｂの間に有るペットの爪を切ることができる、以上のことを特徴とするペット用爪切り。
【０００６】
犬猫等のペットの爪を切る爪切りで、球形を直線で二等分に分割し、二等分に分割した球形を更に直線で二等分に分割し、その四等分に分割した球形の内側を刳り貫いた刃体Ａを金属等で造り、又は、楕円体を直線で二等分に分割し、二等分に分割した楕円体を更に直線で二等分に分割し、その四等分に分割した楕円体の内側を刳り貫いた刃体Ａを金属等で造り、刃体Ａの片方の縁を刃Ｂに加工し、刃Ｂに加工した縁の反対側の刃体Ａの縁に金属等で造った板Ｇを取り付け、板Ｇの刃体Ａの円弧の内側を切り取り、刃体Ａの円弧の内側を切り取った反対側の板Ｇの縁にピン穴Ｄが有る金属等で造った円筒形Ｃを取り付け、２個の刃体Ａの刃Ｂを向き合わせて接触して左右一対で組み、左右一対のピン穴Ｄに金属等で造ったピンＨを通し、左右一対の円筒形ＣのピンＨを繋ぐ板Ｊの両端にピン穴を一対開け、板Ｊの一対のピン穴に一対のピンＨを通して取り付け、金属等で造った板Ｊは左右の円筒形Ｃの両側に一対で取り付け、刃Ｂを向き合わせて組んだ一対の刃体ＡはピンＨを中心にして回転できるようにし、部材Ｅを刃体Ａに取り付け、又は部材Ｅを円筒形Ｃに取り付け、又は部材Ｅを刃体Ａ及び円筒形Ｃに取り付けて、部材Ｅにピン穴Ｆを開け、左右一対の部材ＥがピンＨを中心に回転の開閉の往復運動することで、一対の刃体ＡがピンＨを中心にして回転の開閉の往復運動をできるようにし、一対の刃体ＡがピンＨを中心に回転の開閉の往復運動することで、一対の刃体Ａの刃Ｂの間に有るペットの爪を切ることができ、一対の部材ＥがピンＨを中心に回転の開閉の往復運動をさせるための金属等で造った作動部材Ｌの端にピン穴を開け、部材Ｅと作動部材Ｌに金属等で造ったピンＫを取り付けて、部材Ｅと作動部材Ｌを左右２カ所の一対で接続し、二本の作動部材Ｌを両端の間で交差し、作動部材Ｌが交差した所に金属等で造った開閉中心軸Ｍを取り付け、作動部材Ｌと部材ＥをピンＫで接続した作動部材Ｌの反対側に握り部Ｎを造り、作動部材Ｌの握り部Ｎが開閉中心軸Ｍを中心に回転の開閉の往復運動することで、作動部材Ｌに取り付けた部材ＥがピンＨを中心に回転の開閉の往復運動し、作動部材ＬをピンＫと開閉中心軸Ｍとの間で切断し、作動部材Ｌの開閉中心軸Ｍを中心にして回転の開閉の往復運動方向に対して直角の方向に切断した二つの作動部材Ｌが動くように作動部材Ｌを重ねて金属等で造った蝶ネジＰを取り付けて接続し、蝶ネジＰの操作で切断した二つの作動部材Ｌを好みの角度で固定でき、刃体Ａ、部材Ｅ、板Ｊ、円筒形Ｃ及び作動部材ＬのピンＫを取り付けた先端部を包み込む箱Ｑを取り付け、高分子化合物等で造られた切断した爪の飛散防止の箱Ｑの表面に長方形の穴を開け、箱Ｑの長方形の穴の大きさは板Ｇの回りの円筒形Ｃと板Ｊとの外周と同じ大きさ、箱Ｑに切断した爪を入れる収納部Ｒを取り付け、及び作動部材ＬのピンＫを取り付けた先端部が回転の開閉の往復運動するための溝Ｓを箱Ｑの表面に一対開け、箱Ｑを本発明のペット用爪切りから取り外しがしやすいように、箱Ｑを二分割し、二分割した箱Ｑを結合するための結合式を取り付け、作動部材Ｌの握り部Ｎが開閉中心軸Ｍを中心に回転の開閉の往復運動することで、一対の刃体ＡがピンＨを中心に回転の開閉の往復運動し、一対の刃体Ａの刃Ｂの間に有るペットの爪を切ることができる、以上のことを特徴とするペット用爪切り。
【０００７】
【実施例】
本発明の第１の実施例を示す。直径９ｍｍの球形を直線で二等分に分割し、二等分に分割した球形を更に直線で二等分に分割し、その四等分に分割した球形の内側を刳り貫いた刃体Ａを金属で造り、刃体Ａの肉厚は１ｍｍ、刃体Ａの片方の縁を刃Ｂに加工し、刃Ｂに加工した縁の反対側の刃体Ａの縁に金属で造った板Ｇを取り付け、板Ｇの刃体Ａの円弧の内側を切り取り、刃体Ａの円弧の内側を切り取った反対側の板Ｇの縁に直径１．５ｍｍのピン穴Ｄが有る金属で造った直径３．５ｍｍの円筒形Ｃを取り付け、２個の刃体Ａの刃Ｂを向き合わせて接触して左右一対で組み、左右一対のピン穴Ｄに金属で造った直径１．５ｍｍのピンＨを通し、左右一対の円筒形ＣのピンＨを繋ぐ高さ３．５ｍｍで幅は３ｍｍの板Ｊの両端に直径１．５ｍｍのピン穴を一対開け、板Ｊの一対のピン穴に一対のピンＨを通して取り付け、金属で造った板Ｊは左右の円筒形Ｃの両側に一対で取り付け、刃Ｂを向き合わせて組んだ一対の刃体ＡはピンＨを中心にして回転できるようにし、２個の部材Ｅを刃体Ａ及び円筒形Ｃに取り付け、部材Ｅに直径１．５ｍｍのピン穴Ｆを開け、左右一対の部材ＥがピンＨを中心に回転の開閉の往復運動することで、一対の刃体ＡがピンＨを中心にして回転の開閉の往復運動をできるようにし、一対の刃体ＡがピンＨを中心に回転の開閉の往復運動することで、一対の刃体Ａの刃Ｂの間に有るペットの爪を切ることができ、一対の部材ＥがピンＨを中心に回転の開閉の往復運動をさせるための金属で造った作動部材Ｌの端に直径１．５ｍｍのピン穴を開け、部材Ｅと作動部材Ｌに金属で造った直径１．５ｍｍのピンＫを取り付けて、部材Ｅと作動部材Ｌを左右２カ所の一対で接続し、二本の作動部材Ｌを両端の間で交差し、作動部材Ｌが交差した所に金属で造った直径５ｍｍの開閉中心軸Ｍを取り付け、作動部材Ｌと部材ＥをピンＫで接続した作動部材Ｌの反対側に握り部Ｎを造り、作動部材Ｌの握り部Ｎが開閉中心軸Ｍを中心に回転の開閉の往復運動することで、作動部材Ｌに取り付けた部材ＥがピンＨを中心に回転の開閉の往復運動し、作動部材ＬをピンＫと開閉中心軸Ｍとの間で切断し、作動部材Ｌの開閉中心軸Ｍを中心にして回転の開閉の往復運動方向に対して直角の方向に切断した二つの作動部材Ｌが動くように作動部材Ｌを重ねて金属で造った直径４ｍｍの蝶ネジＰを取り付けて接続し、蝶ネジＰの操作で切断した二つの作動部材Ｌを好みの角度で固定でき、刃体Ａ、部材Ｅ、板Ｊ、円筒形Ｃ及び作動部材ＬのピンＫを取り付けた先端部を包み込む箱Ｑを取り付け、透明プラスチックで造られた切断した爪の飛散防止の箱Ｑの表面に長方形の穴を開け、箱Ｑの長方形の穴の大きさは板Ｇの回りの円筒形Ｃと板Ｊとの外周と同じ大きさ、箱Ｑに切断した爪を入れる収納部Ｒを取り付け、及び作動部材ＬのピンＫを取り付けた先端部が回転の開閉の往復運動するための溝Ｓを箱Ｑの表面に一対開け、箱Ｑを本発明のペット用爪切りから取り外しがしやすいように、箱Ｑを二分割し、二分割した箱Ｑを結合するためのフック結合式を取り付け、作動部材Ｌの握り部Ｎが開閉中心軸Ｍを中心に回転の開閉の往復運動することで、一対の刃体ＡがピンＨを中心に回転の開閉の往復運動し、一対の刃体Ａの刃Ｂの間に有るペットの爪を切ることができる、以上のことを特徴とするペット用爪切り。
【０００８】
本発明の第２の実施例を示す。楕円体を直線で二等分に分割し、二等分に分割した楕円体を更に直線で二等分に分割し、その四等分に分割した楕円体の内側を刳り貫いた刃体Ａを金属で造り、楕円体の長軸は１０ｍｍで短軸は７ｍｍで肉厚は１ｍｍ、刃体Ａの片方の縁を刃Ｂに加工し、刃Ｂに加工した縁の反対側の刃体Ａの縁に金属で造った板Ｇを取り付け、板Ｇの刃体Ａの円弧の内側を切り取り、刃体Ａの円弧の内側を切り取った反対側の板Ｇの縁に直径１．５ｍｍのピン穴Ｄが有る金属で造った直径３．５ｍｍの円筒形Ｃを取り付け、２個の刃体Ａの刃Ｂを向き合わせて接触して左右一対で組み、左右一対のピン穴Ｄに金属で造った直径１．５ｍｍのピンＨを通し、左右一対の円筒形ＣのピンＨを繋ぐ高さ３．５ｍｍで幅は３ｍｍの板Ｊの両端に直径１．５ｍｍのピン穴を一対開け、板Ｊの一対のピン穴に一対のピンＨを通して取り付け、金属で造った板Ｊは左右の円筒形Ｃの両側に一対で取り付け、刃Ｂを向き合わせて組んだ一対の刃体ＡはピンＨを中心にして回転できるようにし、２個の部材Ｅを刃体Ａ及び円筒形Ｃに取り付け、部材Ｅに直径１．５ｍｍのピン穴Ｆを開け、左右一対の部材ＥがピンＨを中心に回転の開閉の往復運動することで、一対の刃体ＡがピンＨを中心にして回転の開閉の往復運動をできるようにし、一対の刃体ＡがピンＨを中心に回転の開閉の往復運動することで、一対の刃体Ａの刃Ｂの間に有るペットの爪を切ることができ、一対の部材ＥがピンＨを中心に回転の開閉の往復運動をさせるための金属で造った作動部材Ｌの端に直径１．５ｍｍのピン穴を開け、部材Ｅと作動部材Ｌに金属で造った直径１．５ｍｍのピンＫを取り付けて、部材Ｅと作動部材Ｌを左右２カ所の一対で接続し、二本の作動部材Ｌを両端の間で交差し、作動部材Ｌが交差した所に金属で造った直径５ｍｍの開閉中心軸Ｍを取り付け、作動部材Ｌと部材ＥをピンＫで接続した作動部材Ｌの反対側に握り部Ｎを造り、作動部材Ｌの握り部Ｎが開閉中心軸Ｍを中心に回転の開閉の往復運動することで、作動部材Ｌに取り付けた部材ＥがピンＨを中心に回転の開閉の往復運動し、作動部材ＬをピンＫと開閉中心軸Ｍとの間で切断し、作動部材Ｌの開閉中心軸Ｍを中心にして回転の開閉の往復運動方向に対して直角の方向に切断した二つの作動部材Ｌが動くように作動部材Ｌを重ねて金属で造った直径４ｍｍの蝶ネジＰを取り付けて接続し、蝶ネジＰの操作で切断した二つの作動部材Ｌを好みの角度で固定でき、刃体Ａ、部材Ｅ、板Ｊ、円筒形Ｃ及び作動部材ＬのピンＫを取り付けた先端部を包み込む箱Ｑを取り付け、透明プラスチックで造られた切断した爪の飛散防止の箱Ｑの表面に長方形の穴を開け、箱Ｑの長方形の穴の大きさは板Ｇの回りの円筒形Ｃと板Ｊとの外周と同じ大きさ、箱Ｑに切断した爪を入れる収納部Ｒを取り付け、及び作動部材ＬのピンＫを取り付けた先端部が回転の開閉の往復運動するための溝Ｓを箱Ｑの表面に一対開け、箱Ｑを本発明のペット用爪切りから取り外しがしやすいように、箱Ｑを二分割し、二分割した箱Ｑを結合するためのフック結合式を取り付け、作動部材Ｌの握り部Ｎが開閉中心軸Ｍを中心に回転の開閉の往復運動することで、一対の刃体ＡがピンＨを中心に回転の開閉の往復運動し、一対の刃体Ａの刃Ｂの間に有るペットの爪を切ることができる、以上のことを特徴とするペット用爪切り。
【０００９】
【発明の効果】
一回の爪切りで、爪の回りを丸く滑らかに切れ、爪先が丸くなる。
【図面の簡単な説明】
【図１】第１及び第２の実施例のペット用爪切り。
【図２】第１及び第２の実施例のペット用爪切り。切断した爪の飛散防止の箱Ｑ無し。
【図３】第１及び第２の実施例のペット用爪切り。切断した爪の飛散防止の箱Ｑを取り付けた。
【符号の説明】
Ａ：刃体、  Ｂ：刃体Ａの刃、  Ｃ：円筒形、  Ｄ：ピン穴、  Ｅ：部材、  Ｆ：ピン穴、  Ｇ：板、  Ｈ：ピン、  Ｊ：円筒形ＣのピンＨを繋ぐ板、  Ｋ：ピン、  Ｌ：部材ＥがピンＨを中心に回転の開閉の往復運動をさせるための作動部材、  Ｍ：開閉中心軸、  Ｎ：作動部材Ｌの握り部、  Ｐ：角度調整用の蝶ネジ、  Ｑ：切断した爪の飛散防止の高分子化合物等で造られた箱、  Ｓ：箱Ｑの表面に開けた一対の溝、  Ｒ：箱Ｑに取り付けた切断した爪を入れる収納部
【図１】
2004194642.tif 000003
【図２】
2004194642.tif 000004
【図３】
2004194642.tif 000005